(57)【要約】【課題】ユーザーの利便性を向上させた給紙装置を提供することである。【解決手段】給紙装置１６は、用紙セット部２２と、記憶部と、表示部１３と、初期設定部１２１と、用紙検知部１２２と、第１判断部１２３と、フラグ制御部１２４と、給紙指令受付部１２５と、第２判断部１２６と、給紙制御部１２７と、表示制御部１２８と、を備える。給紙制御部１２７は、第２判断部１２６により記憶部に手差し設定フラグが記憶されていると判断されれば、初期設定部１２１による設定に関わらず、手差しトレイ２４から用紙を給紙するように制御する。表示制御部１２８は、給紙可能な給紙カセット２３および手差しトレイ２４を表示部１３に表示するとともに、給紙制御部１２７により用紙を給紙する手差しトレイ２４を強調して表示する。【選択図】図５
2018172207.tif 000002
【特許請求の範囲】
【請求項１】
用紙を給紙する給紙装置であって、
挿抜可能で所定の前記用紙が収容される給紙カセット、および前記用紙が手差しでセットされる手差しトレイを含む用紙セット部と、
情報を記憶する記憶部と、
前記情報を表示する表示部と、
前記用紙を給紙する前記給紙カセットを設定する初期設定部と、
前記初期設定部により前記用紙を給紙する前記給紙カセットが設定された後、前記用紙セット部に前記用紙がセットされたことを検知する用紙検知部と、
前記用紙検知部により前記用紙セット部への前記用紙のセットが検知されれば、前記用紙が前記手差しトレイ、または前記給紙カセットのいずれにセットされたか否かを判断する第１判断部と、
前記第１判断部により前記用紙が前記手差しトレイにセットされたと判断されれば、手差し設定フラグを前記記憶部に記憶するフラグ制御部と、
前記用紙の給紙指令を受け付ける給紙指令受付部と、
前記給紙指令受付部により前記給紙指令を受け付けた際に、前記記憶部に前記手差し設定フラグが記憶されているか否かを判断する第２判断部と、
前記第２判断部により前記記憶部に前記手差し設定フラグが記憶されていると判断されれば、前記初期設定部による設定に関わらず、前記手差しトレイから前記用紙を給紙するように制御する給紙制御部と、
前記給紙可能な給紙カセットおよび前記手差しトレイを前記表示部に表示するとともに、前記給紙制御部により前記用紙を給紙する前記手差しトレイを強調して表示する表示制御部と、を備える、給紙装置。
【請求項２】
前記給紙カセットの挿抜を検知する給紙カセット検知部をさらに備え、
前記用紙検知部は、前記給紙カセット検知部により前記給紙カセットの挿抜を検知することにより、前記用紙セット部に前記用紙がセットされたことを検知し、
前記給紙制御部は、前記第１判断部により前記給紙カセットに前記用紙がセットされたと判断され、前記第２判断部により前記記憶部に前記手差し設定フラグが記憶されていないと判断されれば、前記第１判断部により判断された前記給紙カセットから前記用紙を給紙するように制御し、
前記表示制御部は、前記給紙制御部により前記用紙を給紙する前記給紙カセットを強調して表示する、請求項１に記載の給紙装置。
【請求項３】
前記表示制御部は、前記給紙制御部により前記用紙を給紙する前記手差しトレイ、または前記給紙カセットの光量を増やし強調表示する、請求項１または請求項２に記載の給紙装置。
【請求項４】
前記表示制御部は、前記給紙制御部により前記用紙を給紙する前記手差しトレイ、または前記給紙カセットの色を変えて強調表示する、請求項１〜請求項３のいずれか１項に記載の給紙装置。
【請求項５】
前記表示制御部は、前記給紙制御部により前記用紙を給紙する前記手差しトレイ、または前記給紙カセットを明滅させて表示することにより強調表示する、請求項１〜請求項４のいずれか１項に記載の給紙装置。
【請求項６】
前記給紙カセット、および前記手差しトレイに配置され、点灯する発光部と、
前記給紙制御部により前記用紙を給紙する前記手差しトレイ、または前記給紙カセットの発光部を点灯させる発光制御部と、をさらに備える、請求項１〜請求項５のいずれか１項に記載の給紙装置。
【請求項７】
音を出力する音出力部と、
前記給紙制御部により前記手差しトレイ、または前記給紙カセットから前記用紙が給紙されることを前記音出力部から音を出力して報知する音出力制御部と、をさらに備える、請求項１〜請求項６のいずれか１項に記載の給紙装置。
【請求項８】
用紙を給紙する給紙装置と、前記給紙装置によって給紙された用紙に画像を形成する画像形成部とを含む、画像形成装置であって、
前記給紙装置は、
挿抜可能で所定の前記用紙が収容される給紙カセット、および前記用紙が手差しでセットされる手差しトレイを含む用紙セット部と、
情報を記憶する記憶部と、
前記情報を表示する表示部と、
前記用紙を給紙する前記給紙カセットを設定する初期設定部と、
前記初期設定部により前記用紙を給紙する前記給紙カセットが設定された後、前記用紙セット部に前記用紙がセットされたことを検知する用紙検知部と、
前記用紙検知部により前記用紙セット部への前記用紙のセットが検知されれば、前記用紙が前記手差しトレイ、または前記給紙カセットのいずれにセットされたか否かを判断する第１判断部と、
前記第１判断部により前記用紙が前記手差しトレイにセットされたと判断されれば、手差し設定フラグを前記記憶部に記憶するフラグ制御部と、
前記用紙の給紙指令を受け付ける給紙指令受付部と、
前記給紙指令受付部により前記給紙指令を受け付けた際に、前記記憶部に前記手差し設定フラグが記憶されているか否かを判断する第２判断部と、
前記第２判断部により前記記憶部に前記手差し設定フラグが記憶されていると判断されれば、前記初期設定部による設定に関わらず、前記手差しトレイから前記用紙を給紙するように制御する給紙制御部と、
前記給紙可能な給紙カセットおよび前記手差しトレイを前記表示部に表示するとともに、前記給紙制御部により前記用紙を給紙する前記手差しトレイを強調して表示する表示制御部と、を備える、画像形成装置。
【発明の詳細な説明】
【技術分野】
【０００１】
この発明は、給紙装置、および画像形成装置に関するものである。
【背景技術】
【０００２】
画像形成装置において、ユーザーの所望するサイズの用紙が収容された給紙カセットを自動的に選択する機能を備えた画像形成装置が知られている。
【０００３】
ここで、給紙モードとして手差しモードを自動的に選択して、ユーザーの所望しないサイズの用紙への画像形成を阻止する技術が、特開２０１４−０８９４２５号公報（特許文献１）に開示されている。
【０００４】
特許文献１に開示の画像形成装置は、給紙カセットと、原稿サイズ検知部と、手差し給紙部と、制御部とを備える。給紙カセットは、カセット記録媒体を画像形成部に給紙する。原稿サイズ検知部は、画像形成部で形成する画像の原稿のサイズを検知する。手差し給紙部は、画像形成部に手差し記録媒体を給紙する。制御部は、原稿サイズ検知部の検知結果が、カセット記録媒体のサイズと異なる場合に、画像形成部への記録媒体の給紙元を手差し給紙部に設定する。
【先行技術文献】
【特許文献】
【０００５】
【特許文献１】特開２０１４−０８９４２５号公報
【発明の概要】
【発明が解決しようとする課題】
【０００６】
ユーザーは、ユーザーの所望する用紙を手差しトレイにセットして、所望する用紙に画像を形成させたい場合がある。このような場合、ユーザーは手動で給紙設定を手差しトレイに変更する。しかしながら、ユーザーが給紙設定の変更を忘れ、給紙設定が変更されないと、手差しトレイではなく給紙カセットから供給される用紙に画像が形成されるおそれがある。
【０００７】
また、特許文献１に開示の技術は、画像を形成する用紙のサイズを検知し、自動的に手差しトレイに切り替わる。しかしながら、画像が形成されるサイズの用紙が給紙カセットにあった場合には、給紙カセットから給紙される。ユーザーの所望する用紙に画像を形成されるには、ユーザーが手動で給紙設定を変更する必要がある。
【０００８】
この発明の目的は、ユーザーの利便性を向上させた給紙装置、および画像形成装置を提供することである。
【課題を解決するための手段】
【０００９】
この発明の一の局面において給紙装置は、用紙を給紙する。給紙装置は、用紙セット部と、記憶部と、表示部と、初期設定部と、用紙検知部と、第１判断部と、フラグ制御部と、給紙指令受付部と、第２判断部と、給紙制御部と、表示制御部と、を備える。用紙セット部は、挿抜可能で所定の用紙が収容される給紙カセット、および用紙が手差しでセットされる手差しトレイを含む。記憶部は、情報を記憶する。表示部は、情報を表示する。初期設定部は、用紙を給紙する給紙カセットを設定する。用紙検知部は、初期設定部により用紙を給紙する給紙カセットが設定された後、用紙セット部に用紙がセットされたことを検知する。第１判断部は、用紙検知部により用紙セット部への用紙のセットが検知されれば、用紙が手差しトレイ、または給紙カセットのいずれにセットされたか否かを判断する。フラグ制御部は、第１判断部により用紙が手差しトレイにセットされたと判断されれば、手差し設定フラグを記憶部に記憶する。給紙指令受付部は、用紙の給紙指令を受け付ける。第２判断部は、給紙指令受付部により給紙指令を受け付けた際に、記憶部に手差し設定フラグが記憶されているか否かを判断する。給紙制御部は、第２判断部により記憶部に手差し設定フラグが記憶されていると判断されれば、初期設定部による設定に関わらず、手差しトレイから用紙を給紙するように制御する。表示制御部は、給紙可能な給紙カセットおよび手差しトレイを表示部に表示するとともに、給紙制御部により用紙を給紙する手差しトレイを強調して表示する。
【００１０】
この発明の他の局面において画像形成装置は、用紙を給紙する給紙装置と、給紙装置によって給紙された用紙に画像を形成する画像形成部とを含む。給紙装置は、用紙セット部と、記憶部と、表示部と、初期設定部と、用紙検知部と、第１判断部と、フラグ制御部と、給紙指令受付部と、第２判断部と、給紙制御部と、表示制御部と、を備える。用紙セット部は、挿抜可能で所定の用紙が収容される給紙カセット、および用紙が手差しでセットされる手差しトレイを含む。記憶部は、情報を記憶する。表示部は、情報を表示する。初期設定部は、用紙を給紙する給紙カセットを設定する。用紙検知部は、初期設定部により用紙を給紙する給紙カセットが設定された後、用紙セット部に用紙がセットされたことを検知する。第１判断部は、用紙検知部により用紙セット部への用紙のセットが検知されれば、用紙が手差しトレイ、または給紙カセットのいずれにセットされたか否かを判断する。フラグ制御部は、第１判断部により用紙が手差しトレイにセットされたと判断されれば、手差し設定フラグを記憶部に記憶する。給紙指令受付部は、用紙の給紙指令を受け付ける。第２判断部は、給紙指令受付部により給紙指令を受け付けた際に、記憶部に手差し設定フラグが記憶されているか否かを判断する。給紙制御部は、第２判断部により記憶部に手差し設定フラグが記憶されていると判断されれば、初期設定部による設定に関わらず、手差しトレイから用紙を給紙するように制御する。表示制御部は、給紙可能な給紙カセットおよび手差しトレイを表示部に表示するとともに、給紙制御部により用紙を給紙する手差しトレイを強調して表示する。
【発明の効果】
【００１１】
このような給紙装置によれば、手差しトレイにユーザーの所望する用紙がセットされ給紙指令を受け付けると、給紙カセットの初期設定に関わらず、自動的に手差しトレイからユーザーの所望する用紙が給紙される。また、表示画面に手差しトレイから用紙が給紙されることが強調して表示されるため、ユーザーは手差しトレイから所望する用紙が給紙されることを確認することができる。従って、ユーザーの利便性を向上させることができる。
【００１２】
このような画像形成装置によれば、ユーザーの利便性を向上させることができる。
【図面の簡単な説明】
【００１３】
【図１】この発明の一実施形態に係る表示装置を複合機に適用した場合の複合機の外観を示す概略図である。
【図２】図１に示す複合機の構成を示すブロック図である。
【図３】表示部の概略的な構成を示す外観図である。
【図４】制御部の構成を示すブロック図である。
【図５】手差しトレイから用紙が給紙される場合の処理の流れを示すフローチャートである。
【図６】表示画面に用紙を給紙する手差しトレイが強調して表示される一例を示す図である。
【図７】表示画面に用紙を給紙する手差しトレイが強調して表示される一例を示す図である。
【図８】表示画面に用紙を給紙する給紙カセットが強調して表示される一例を示す図である。
【発明を実施するための形態】
【００１４】
以下、この発明の実施の形態を説明する。図１は、この発明の一実施形態に係る給紙装置１６を複合機１１に適用した場合の複合機１１の外観を示す概略図である。図２は、図１に示す複合機１１の構成を示すブロック図である。
【００１５】
図１および図２において、複合機１１は、制御部１２と、表示部１３と、読み取り部１４と、給紙装置１６と、記憶部としてのハードディスク１７と、画像形成部１５、音出力部２６とを備える。
【００１６】
制御部１２は、複合機１１全体の制御を行う。制御部１２は、ＣＰＵ等から構成されており、一時的にデータを記憶する記憶部としての主記憶メモリ１８を含む。表示部１３は、情報を表示する表示画面２１を含む。読み取り部１４は、載置台１９上にセットされた原稿を読み取ることによって原稿の画像を取得する。画像形成部１５は、読み取り部１４により取得された原稿の画像を基に、給紙装置１６から搬送されてきた用紙に画像を形成して出力する。音出力部２６は、音データに基づいて音を出力する。
【００１７】
給紙装置１６は、用紙セット部２２と、用紙搬送部２５と、を備える。用紙セット部２２は、給紙カセット２３と、手差しトレイ２４と、を含む。給紙カセット２３は、複数の給紙カセット２３ａ、２３ｂ、２３ｃを含む。それぞれの給紙カセット２３ａ〜２３ｃには、サイズの異なる複数枚の用紙が収容される。給紙カセット２３ａ、２３ｂ、２３ｃは、図１のＺ方向に配置される。例えば、給紙カセット２３ａにはＡ４の用紙が収容され、給紙カセット２３ｂにはＢ５の用紙が収容され、給紙カセット２３ｃにはＡ３の用紙が収容される。給紙カセット２３ａ〜２３ｃは、矢印Ｘ方向および矢印Ｘ方向とは反対の方向に挿抜可能である。手差しトレイ２４は、複合機１１の一方の側面に配置される。手差しトレイ２４は、矢印Ｙ方向および矢印Ｙ方向とは反対の方向に開閉可能である。手差しトレイ２４には、開いた状態で用紙が手差しでセットされる。給紙カセット２３、および手差しトレイ２４は、点灯する発光部２７を含む。発光部２７は、それぞれの給紙カセット２３ａ〜２３ｃに配置される。発光部２７は、給紙カセット２３ａ〜２３ｃ、および手差しトレイ２４の一方の端部に配置される。図１を参照して、発光部２７は、ハッチングが施された領域に配置される。用紙搬送部２５は、用紙セット部２２に収容された用紙を画像形成部１５に搬送する。
【００１８】
次に、上記した表示部１３の具体的な構成について説明する。図３は、表示部１３の概略的な構成を示す外観図である。図３を参照して、表示部１３は、印刷部数等を入力させるための０〜９までの数字、および「＊」や「＃」の記号を入力させるテンキー４１と、印刷の開始やファクシミリ送信の開始を指示させるスタートキー４２と、複合機１１の電源のオンまたはオフを入力させる電源キー４３と、複合機１１の有するプリンター機能やコピー機能等の選択を指示させるメニューキー４４と、種々の画像形成の条件や使用ユーザーの登録を指示させる登録キー４５と、テンキー４１等を用いてユーザーにより入力された指示の内容をキャンセルさせるリセットキー４６と、上記した表示画面２１とを含む。表示画面２１は、液晶のタッチパネル機能を有しており、ユーザーの指での押圧等により、表示画面２１からも画像形成条件等を入力させると共に、機能の選択等を行うことができる。表示画面２１には、用紙を給紙する用紙セット部２２の設定を行う給紙設定２１ａの画面が表示される。給紙設定２１ａの画面には、自動選択の表示ボタン２１ｂ、Ａ４の用紙が収容される給紙カセット２３ａの表示ボタン２１ｃ、Ｂ５の用紙が収容される給紙カセット２３ｂの表示ボタン２１ｄ、Ａ３の用紙が収容される給紙カセット２３ｃの表示ボタン２１ｅが表示される。ここで、自動選択とは、読み取り部１４によって取得された原稿の画像のサイズに応じた用紙を収容する給紙カセット２３が自動的に選択されるものである。
【００１９】
次に、複合機１１に備えられる制御部１２の構成について説明する。図４は、制御部１２の構成を示すブロック図である。図４を参照して、制御部１２は、初期設定部１２１と、用紙検知部１２２と、第１判断部１２３と、フラグ制御部１２４と、給紙指令受付部１２５と、第２判断部１２６と、給紙制御部１２７と、表示制御部１２８と、給紙カセット検知部１２９と、発光制御部１３０と、音出力制御部１３１とを備える。
【００２０】
初期設定部１２１は、用紙を給紙する給紙カセット２３を設定する。用紙検知部１２２は、初期設定部１２１により用紙を給紙する給紙カセット２３が設定された後、用紙セット部２２に用紙がセットされたことを検知する。第１判断部１２３は、用紙検知部１２２により用紙セット部２２への用紙のセットが検知されれば、用紙が手差しトレイ２４、または給紙カセット２３のいずれにセットされたか否かを判断する。フラグ制御部１２４は、第１判断部１２３により用紙が手差しトレイ２４にセットされたと判断されれば、手差し設定フラグを主記憶メモリ１８に記憶する。給紙指令受付部１２５は、ユーザーによる用紙の給紙指令を受け付ける。第２判断部１２６は、給紙指令受付部１２５により給紙指令を受け付けた際に、主記憶メモリ１８に手差し設定フラグが記憶されているか否かを判断する。給紙制御部１２７は、第２判断部１２６により主記憶メモリ１８に手差し設定フラグが記憶されていると判断されれば、初期設定部１２１による設定に関わらず、手差しトレイ２４から用紙を給紙するように制御する。表示制御部１２８は、給紙可能な給紙カセット２３および手差しトレイ２４を表示画面２１に表示するとともに、給紙制御部１２７により用紙を給紙する手差しトレイ２４を強調して表示する。給紙カセット検知部１２９は、給紙カセット２３の挿抜を検知する。発光制御部１３０は、給紙制御部１２７により用紙を給紙する手差しトレイ２４、または給紙カセット２３の発光部２７を点灯させる。音出力制御部１３１は、給紙制御部１２７により手差しトレイ２４、または給紙カセット２３から用紙が給紙されることを音出力部２６から音を出力して報知する。これらの構成については、後に詳述する。
【００２１】
次に、手差しトレイ２４に用紙がセットされ、手差しトレイ２４から用紙が給紙される場合について説明する。図５は、手差しトレイ２４から用紙が給紙される場合の処理の流れを示すフローチャートである。
【００２２】
図５を参照して、まず、初期設定部１２１により用紙を給紙する給紙カセット２３が設定される（図５において、ステップＳ１１、以下、「ステップ」を省略する）。図３を参照して、表示画面２１に含まれる給紙設定２１ａの画面にて、用紙を給紙する給紙カセット２３の設定が行われる。給紙設定２１ａの画面に表示される表示ボタン２１ｂ〜２１ｅから用紙を給紙する給紙カセット２３がユーザーによって選択され、設定される。
【００２３】
次に、ユーザーは複合機１１に給紙したい所望の用紙を手差しトレイ２４にセットする。用紙が手差しトレイ２４にセットされることにより、用紙検知部１２２は用紙が用紙セット部２２にセットされたことを検知する（Ｓ１２）。
【００２４】
次に、用紙が用紙セット部２２にセットされたことを検知すると、第１判断部１２３は用紙が手差しトレイ２４にセットされたか否かを判断する（Ｓ１３）。第１判断部１２３により、用紙が手差しトレイ２４にセットされたと判断されれば（Ｓ１３においてＹＥＳ）、フラグ制御部１２４は手差し設定フラグを主記憶メモリ１８に記憶する（Ｓ１４）。このようにすることで、手差しトレイ２４に用紙がセットされたことを分かるようにすることができる。
【００２５】
給紙指令受付部１２５は、ユーザーによる給紙指令を受け付ける（Ｓ１５）。ここで、ユーザーによる給紙指令とは、用紙が手差しトレイ２４にセットされた後に、表示部１３のスタートキー４２がユーザーによって押された場合である。ユーザーによる給紙指令を受け付ければ（Ｓ１５においてＹＥＳ）、第２判断部１２６は、主記憶メモリ１８に手差し設定フラグが記憶されているか否かが判断される（Ｓ１６）。主記憶メモリ１８に手差し設定フラグが記憶されていると判断されれば（Ｓ１６においてＹＥＳ）、給紙制御部１２７は、初期設定部１２１による設定に関わらず、手差しトレイ２４から用紙を給紙するように制御する（Ｓ１７）。そして、表示制御部１２８は、表示画面２１に給紙可能な給紙カセット２３および手差しトレイ２４を表示するとともに、給紙制御部１２７により用紙を給紙する手差しトレイ２４を強調して表示する（Ｓ１８）。
【００２６】
このような複合機１１によれば、手差しトレイ２４にユーザーの所望する用紙がセットされ給紙指令を受け付けると、給紙カセット２３の初期設定に関わらず、自動的に手差しトレイからユーザーの所望する用紙が給紙される。また、表示画面２１に手差しトレイ２４から用紙が給紙されることが強調して表示されるため、ユーザーは手差しトレイ２４から所望する用紙が給紙されることを確認することができる。従って、ユーザーの利便性を向上させることができる。
【００２７】
また、Ｓ１２において、用紙検知部１２２は、給紙カセット２３の挿抜を検知することにより、用紙セット部２２に用紙がセットされたことを検知するようにしてもよい。この場合、Ｓ１３において、第１判断部１２３は給紙カセット２３に用紙がセットされたと判断する（Ｓ１３においてＮＯ）。そして、手差し設定フラグが記憶されずに、給紙指令を受け付ける（Ｓ１５）。また、Ｓ１６において、第２判断部１２６は主記憶メモリ１８に手差し設定フラグが記憶されていないと判断すれば（Ｓ１６においてＮＯ）、給紙制御部１２７は第１判断部１２３により判断された給紙カセット２３から用紙を給紙するように制御する（Ｓ１９）。そして、表示制御部１２８は、表示画面２１に給紙可能な給紙カセット２３および手差しトレイ２４を表示するとともに、給紙制御部１２７により用紙を給紙する給紙カセット２３を強調して表示する（Ｓ２０）。また、給紙カセット２３が複数の給紙カセットを含む場合、挿抜が検知された給紙カセット２３を強調して表示するようにしてもよい。
【００２８】
なお、Ｓ１８、Ｓ２０において、表示制御部１２８は、以下のように強調して表示するようにしてもよい。給紙可能な給紙カセット２３および手差しトレイ２４を表示画面２１に表示するととともに、給紙制御部１２７によって用紙を給紙する手差しトレイ２４、または給紙カセット２３の光量を増やして表示画面２１に表示するようにしてもよい。このようにすることで、ユーザーは、所望の用紙をセットした手差しトレイ２４、または給紙カセット２３から用紙が給紙されることを容易に確認することができる。
【００２９】
また、給紙制御部１２７によって用紙を給紙する手差しトレイ２４、または給紙カセット２３の色をその他の色と異なるように変えて表示画面２１に表示するようにしてもよい。図６は、表示画面２１に用紙を給紙する手差しトレイ２４が強調して表示される一例を示す図である。図６を参照して、給紙可能な給紙カセット２３ａ〜２３ｃおよび手差しトレイ２４の表示ボタン２１ｂ、２１ｃ、２１ｄ、２１ｅ、２１ｆが表示画面２１に表示される。給紙制御部１２７によって手差しトレイ２４から用紙が給紙される場合、手差しトレイ２４の表示ボタン２１ｆの色と、その他の表示ボタン２１ｂ〜２１ｅの色とを異なるようにして表示画面２１に表示される。ハッチングが施された表示ボタン２１ｆは、色が施された状態を示す。また、手差しトレイ２４の表示ボタン２１ｆ以外の表示ボタン２１ｂ〜２１ｅが、グレーアウト表示されてもよい。このようにすることで、ユーザーは、所望の用紙をセットした手差しトレイ２４、または給紙カセット２３から用紙が給紙されることを容易に確認することができる。
【００３０】
また、給紙制御部１２７によって用紙を給紙する手差しトレイ２４、または給紙カセット２３を明滅させて表示画面２１に表示するようにしてもよい。図７は、表示画面２１に用紙を給紙する手差しトレイ２４が強調して表示される一例を示す図である。図７を参照して、給紙可能な給紙カセット２３ａ〜２３ｃおよび手差しトレイ２４の表示ボタン２１ｂ〜２１ｆが表示画面２１に表示される。給紙制御部１２７によって手差しトレイ２４から用紙が給紙される場合、手差しトレイ２４の表示ボタン２１ｆが明滅して表示画面２１に表示される。このようにすることで、ユーザーは、所望の用紙をセットした手差しトレイ２４、または給紙カセット２３から用紙が給紙されることを容易に確認することができる。
【００３１】
図８は、表示画面２１に用紙を給紙する給紙カセット２３が強調して表示された一例を示す図である。図８を参照して、表示画面２１に複合機１１のサムネイル画像２１ｇが表示される。サムネイル画像２１ｇは、複合機１１を図１の矢印Ｘ方向とは反対の方向に見た画像である。給紙制御部１２７によって給紙カセット２３ａから用紙が給紙される場合、サムネイル画像２１ｇの給紙カセット２３ａには、その他の給紙カセット２３ｂ、２３ｃとは異なる色が施されて表示される。図８を参照して、給紙カセット２３ａのハッチングが施された領域に、色が施される。また、サムネイル画像２１ｇの給紙カセット２３ａが明滅して表示するようにしてもよい。また、表示画面２１に給紙カセット２３から用紙が給紙されることを示すメッセージ２１ｈを表示するようにしてもよい。
【００３２】
また、Ｓ１８、Ｓ２０において、発光制御部１３０は、給紙制御部１２７によって用紙を給紙する手差しトレイ２４、または給紙カセット２３の発光部２７を点灯させてもよい。図１を参照して、給紙制御部１２７によって給紙カセット２３ａから用紙が給紙される場合、給紙カセット２３ａの発光部２７が点灯する。
【００３３】
また、Ｓ１８、Ｓ２０において、音出力制御部１３１は、給紙制御部１２７により手差しトレイ２４、または給紙カセット２３から用紙が給紙されることを報知する音データを生成する。そして、生成された音データに基づいて、音出力部２６から音を出力するように制御する。例えば、給紙制御部１２７によって手差しトレイ２４から用紙が給紙される場合、手差しトレイ２４から用紙が給紙されることを報知する音声データが生成され、音出力部２６から出力される。
【００３４】
なお、Ｓ１５において、ユーザーによる給紙指令がなかった場合（Ｓ１５においてＮＯ）には、再度用紙セット部２２により用紙Ｓがセットされたことを検知する（Ｓ１２）。
【００３５】
なお、複合機１１の制御部１２で制御することとしたが、これに限らず、給紙装置１６は、制御部を備え、これにより制御するようにしてもよい。
【００３６】
今回開示された実施の形態はすべての点で例示であって、どのような面からも制限的なものではないと理解されるべきである。本発明の範囲は上記した説明ではなく、特許請求の範囲によって規定され、特許請求の範囲と均等の意味および範囲内でのすべての変更が含まれることが意図される。
【産業上の利用可能性】
【００３７】
この発明に係る給紙装置、および画像形成装置は、ユーザーの利便性を向上させることが要求される場合に、特に有効に利用される。
【符号の説明】
【００３８】
１１  複合機、１２  制御部、１２１  初期設定部、１２２  用紙検知部、１２３  第１判断部、１２４  フラグ制御部、１２５  給紙指令受付部、１２６  第２判断部、１２７  給紙制御部、１２８  表示制御部、１２９  給紙カセット検知部、１３０  発光制御部、１３１  音出力制御部、１３  表示部、１４  読み取り部、１５  画像形成部、１６  給紙装置、１７  ハードディスク、１８  主記憶メモリ、１９  載置台、２１  表示画面、２１ａ  給紙設定、２１ｂ  表示ボタン、２１ｃ  表示ボタン、２１ｄ  表示ボタン、２１ｅ  表示ボタン、２１ｆ  表示ボタン、２１ｇ  サムネイル画像、２１ｈ  メッセージ、２２  用紙セット部、２３  給紙カセット、２３ａ  給紙カセット、２３ｂ  給紙カセット、２３ｃ  給紙カセット、２４  手差しトレイ、２５  用紙搬送部、２６  音出力部、２７  発光部、４１  テンキー、４２  スタートキー、４３  電源キー、４４  メニューキー、４５  登録キー、４６  リセットキー。
【図１】
2018172207.tif 000003
【図２】
2018172207.tif 000004
【図３】
2018172207.tif 000005
【図４】
2018172207.tif 000006
【図５】
2018172207.tif 000007
【図６】
2018172207.tif 000008
【図７】
2018172207.tif 000009
【図８】
2018172207.tif 000010